(57)【要約】【課題】  デッドホールド性、遮光性及びガスバリア性を兼ね備えたアルミレスの蓋材を備えたインスタント食品用容器を提供する。【解決手段】  上面に開口を有する容器本体９０と、開口の周縁部にヒートシールされて該開口を塞ぐ蓋材５０とを備え、蓋材５０のタブ５０ｑを所定の開口方向へめくり上げることにより、開口を部分的に露出させるインスタント食品用容器であって、蓋材５０は、無延伸フィルム層１を含む上部層と、最下層にシーラントフィルム層８を有する下部層とを積層した構造であり、かつ、開口の周縁部の２箇所を略結ぶようにシーラントフィルム層８から裏ハーフカット１０が形成されており、かつ、上部層と下部層との間に剥離ニス３１がベタ塗りされた領域である弱接着領域５１が裏ハーフカット１０を跨いで形成されており、かつ、弱接着領域よりも開口方向側には、上部層と下部層との間に剥離ニス３１が網点状に配置された領域である中接着領域５２が所定幅で形成されている。【選択図】  図１
2006137490.tif 000002
【特許請求の範囲】
【請求項１】
上面に開口を有する容器本体と、前記開口の周縁部にヒートシールされて該開口を塞ぐ蓋材とを備え、前記蓋材のヒートシールされている部分の所定の箇所を所定の開口方向へめくり上げることにより、前記開口を部分的に露出させるインスタント食品用容器であって、
前記蓋材は、無延伸フィルム層を含む上部層と、最下層にシーラントフィルム層を有する下部層とを積層した構造であり、
かつ、前記開口の周縁部の２箇所を略結ぶように前記シーラントフィルム層から裏ハーフカットが形成されており、
かつ、前記上部層と前記下部層との間に剥離ニスがベタ塗りされた領域である弱接着領域が前記裏ハーフカットを跨いで形成されており、
かつ、前記弱接着領域よりも前記開口方向側には、前記上部層と前記下部層との間に前記剥離ニスが網点状に配置された領域である中接着領域が所定幅で形成されていることを特徴とするインスタント食品用容器。
【請求項２】
前記中接着領域と、それよりも前記開口方向側に位置し前記剥離ニスが配置されていない領域との境界線は、前記蓋材の重心点よりも前記開口方向側に存在することを特徴とする請求項１記載のインスタント食品用容器。
【請求項３】
前記無延伸フィルム層は、ポリエステル樹脂で形成されていることを特徴とする請求項１又は２記載のインスタント食品用容器。
【請求項４】
前記下部層は、ガスバリア層を有し、前記裏ハーフカットは該ガスバリア層を貫通していないことを特徴とする請求項１から３のいずれか１項記載のインスタント食品用容器。
【請求項５】
前記中接着領域は、前記剥離ニスの占有率が異なる複数の領域が、前記剥離ニスの占有率が高い順に前記開口方向に沿って配列されていることを特徴とする請求項１から４のいずれか１項記載のインスタント食品用容器。
【請求項６】
前記中接着領域と前記強接着領域との境界には、前記開口方向を凹とする弧状の表ハーフカットが少なくとも一つ形成されていることを特徴とする請求項１から５のいずれか１項記載のインスタント食品用容器。
【請求項７】
前記中接着領域には、前記開口方向を凸とする弧状の表ハーフカットが少なくとも一つ前記弱接着領域との境界部近傍に形成されていることを特徴とする請求項１から６のいずれか１項記載のインスタント食品用容器。
【請求項８】
前記弱接着領域と前記中接着領域との境界は非直線状で、これらが入り組んだ混在領域が存在し、該混在領域においては前記開口方向に向かって前記中接着領域の占める割合が連続的に増加することを特徴とする請求項１から７のいずれか１項記載のインスタント食品用容器。
【請求項９】
前記弱接着領域と前記中接着領域との境界が、屈曲又は湾曲線状であることを特徴とする請求項８記載のインスタント食品用容器。
【発明の詳細な説明】
【技術分野】
【０００１】
本発明は、インスタント食品用の容器に関する。
【背景技術】
【０００２】
インスタント食品用の容器は、乾燥めんなどを収容した状態で、開口部が蓋材によって塞がれる。
【０００３】
インスタント食品は、蓋材を一部剥離して湯を注入し、再び蓋を閉めて所定時間経過させることで食することができる状態となる。このため、インスタント食品用の容器の蓋材には、湯を注入する間開口状態を維持する性質（デッドホールド性）が求められる。
【０００４】
この性質を実現するため、通常は、蓋材にはアルミ箔層を含む積層構造の材料を用が用いられる。
【０００５】
近年、環境問題からリサイクル化や廃棄物の分別化が推進されており、インスタント食品用の容器の蓋材についてもアルミレス化が要求されている。
【０００６】
このような問題を解決することを目的とした従来技術としては、特許文献１に開示される「包装容器」がある。
【特許文献１】特開２００２−１０４５１５号公報
【発明の開示】
【発明が解決しようとする課題】
【０００７】
しかし、インスタント食品用の蓋材には、この他にも、収納している食品の劣化を防ぐための遮光性や食品の臭いの漏洩を防ぐためのガスバリア性などが要求される。
上記特許文献１に開示される発明は、遮光層を備えることにより遮光性は有するものの、蓋材にハーフカットを形成することによってプラスチック基材層が分断され、ガスバリア性が損なわれてしまう。
すなわち、特許文献１に開示される発明は、アルミを用いること無くデッドホールド性を向上させることはできるが、ガスバリア性を持たせることができないため、インスタント食品用容器としては不適当である。
【０００８】
このように、従来は、デッドホールド性、遮光性及びガスバリア性を兼ね備えたアルミレスの蓋材を備えたインスタント食品用の容器は提供されていなかった。
【０００９】
本発明はかかる問題に鑑みてなされたものであり、デッドホールド性、遮光性及びガスバリア性を兼ね備えたアルミレスの蓋材を備えたインスタント食品用容器を提供することを目的とする。
【課題を解決するための手段】
【００１０】
本発明は、上記目的を達成するために、上面に開口を有する容器本体と、開口の周縁部にヒートシールされて該開口を塞ぐ蓋材とを備え、蓋材のヒートシールされている部分の所定の箇所を所定の開口方向へめくり上げることにより、開口を部分的に露出させるインスタント食品用容器であって、蓋材は、無延伸フィルム層を含む上部層と、最下層にシーラントフィルム層を有する下部層とを積層した構造であり、かつ、開口の周縁部の２箇所を略結ぶようにシーラントフィルム層から裏ハーフカットが形成されており、かつ、上部層と下部層との間に剥離ニスがベタ塗りされた領域である弱接着領域が裏ハーフカットを跨いで形成されており、かつ、弱接着領域よりも開口方向側には、上部層と下部層との間に剥離ニスが網点状に配置された領域である中接着領域が所定幅で形成されていることを特徴とするインスタント食品用容器を提供するものである。
【００１１】
上記の構成においては、中接着領域と、それよりも開口方向側に位置し剥離ニスが配置されていない領域との境界線は、蓋材の重心点よりも開口方向側に存在することが好ましい。
【００１２】
また、上記のいずれの構成においても、無延伸フィルム層は、ポリエステル樹脂で形成されていることが好ましい。また、下部層は、ガスバリア層を有し、裏ハーフカットは該ガスバリア層を貫通していないことが好ましい。
【００１３】
また、上記のいずれの構成においても、中接着領域は、剥離ニスの占有率が異なる複数の領域が、剥離ニスの占有率が高い順に開口方向に沿って配列されていることが好ましい。また、中接着領域と強接着領域との境界には、開口方向を凹とする弧状の表ハーフカットが少なくとも一つ形成されていることが好ましい。また、中接着領域には、開口方向を凸とする弧状の表ハーフカットが弱接着領域との境界部近傍に少なくとも一つ形成されていることが好ましい。また、弱接着領域と中接着領域との境界は非直線状で、これらが入り組んだ混在領域が存在し、該混在領域においては開口方向に向かって中接着領域の占める割合が連続的に増加することが好ましく、これに加えて、弱接着領域と中接着領域との境界が、屈曲又は湾曲線状であることがより好ましい。
【発明の効果】
【００１４】
本発明によれば、デッドホールド性、遮光性及びガスバリア性を兼ね備えたアルミレスの蓋材を備えたインスタント食品用の容器を提供できる。
【発明を実施するための最良の形態】
【００１５】
〔積層構造材料の構成〕
図１に、本発明においてインスタント食品用容器の蓋材に用いる積層構造材料の構成を示す。
蓋材は、表層側（容器外側）から順に、無延伸フィルム層１、コート紙２、ＰＥＴ（PolyEthylene Terephthalate）層３、ＰＥ（PolyEthylene）層４、ＰＥフィルム層５、一軸延伸ＰＥＴフィルム層６、遮光印刷層７、シーラントフィルム層８が積層された積層材料を用いて構成される。図中に示す各層の厚みは一例であって、これらの寸法に限定されることはない。なお、以下の説明においては、容器外側となる方向を上、容器内側となる方向を下と定義する。
無延伸フィルム層１は、無延伸フィルムを用いて形成した基材層である。従来構造の蓋材では、伸び縮みが少ない、印刷適正が良好である、透明性があるなどの理由から二軸延伸フィルムが基材として用いられていたが、二軸延伸フィルムは剛性（復原力）が強く、デッドホールド性がない。このため、本発明においては、蓋材にデッドホールド性をもたせるために無延伸フィルムを基材として用いる。なお、無延伸フィルムの材質としては、ポリエステル樹脂、ポリオレフィン樹脂などが適用可能であるが、耐熱性を考慮した場合には、ポリエステル樹脂が最も好ましい。具体的には、ＰＥＴ、ＰＥＴＧ、ＰＢＴなどがあげられる。
【００１６】
コート紙２は、コート面２ａを表層（容器外）側に向けて積層される。最表層に位置する無延伸フィルムは寸法安定性に劣るため、印刷性に乏しい。よって、本発明においては、無延伸フィルム層１の下層であるコート紙２に絵柄２１を印刷する。
【００１７】
ＰＥＴ層３は、剥離ニスがコート紙に染み込んで剥離性能が損なわれることを防止するための層である。ＰＥＴ層３の下側には部分的に剥離ニス３１が塗布される。なお、剥離ニス３１が塗布される領域には、「弱接着領域」と「中接着領域」との二種類がある。弱接着領域は、ＰＥＴ層３に剥離ニス３１がベタ塗りされた領域であり、ＰＥＴ層３とＰＥ層４との接合強度は、シーラント層８と容器本体９０とのヒートシールの接着強度よりも弱い。中接着領域は、ＰＥＴ層３に剥離ニス３１が網点状に配置された領域であり、ＰＥＴ層３とＰＥ層４との接合強度は、弱接着層よりは強いものの、シーラント層８と容器本体９０とのヒートシールの接着強度よりは弱い。弱接着領域及び中接着領域の具体的な位置は、後段の実施形態で説明する。
【００１８】
ＰＥ層４は、ＰＥＴ層３とＰＥフィルム層５とを接着（押し出しラミネート）するための層である。
【００１９】
ＰＥフィルム層５は、押し出しラミネートの際の接着強度を向上させるための層である。すなわち、ＰＥフィルム層５が存在しない場合、ＰＥ層４と一軸延伸ＰＥＴフィルム層６とが当接する層構造となるが、この場合には異種の樹脂であるＰＥとＰＥＴとが当接することとなるため、接着強度が低下してしまう。ＰＥフィルム層５を設けることにより、押し出しラミネートの際には同種の樹脂の層同士が当接することとなるため、接着強度が向上する。
【００２０】
一軸延伸ＰＥＴフィルム層６は、蓋材にガスバリア性を付与するための層である。
【００２１】
遮光印刷層７は、蓋材に遮光性を付与するための層であり、少なくとも一つの不透明色を一軸延伸ＰＥＴフィルム層７の裏面（容器内側）に印刷することによって形成される。なお、白／グレー／白のように、２以上の不透明色を重ねて印刷しても良い。
【００２２】
シーラント層８は、蓋材を容器本体に接着（ヒートシール）するための層であり、従来の蓋材と同じ材質のものを適用できる。
【００２３】
蓋材の材料となる積層構造材料の製造方法について説明する。積層構造材料は、無延伸フィルム層１、コート紙２及びＰＥＴ層３からなる上部層とＰＥフィルム層５、一軸延伸ＰＥＴフィルム層６、遮光印刷層７及びシーラントフィルム層８からなる下部層とに大別され、これらをＰＥの押し出しラミネートによって接着して形成される。
【００２４】
まず、上部層の製造手順について説明する。コート紙２とＰＥＴ層３とをドライラミネートで接着する。次に、ラミネート済みのコート紙２のコート面２ａに絵柄２１を、ＰＥＴ層３に剥離ニス３１を同時に印刷し、これと無延伸フィルム層１とをドライラミネートで接着することによって上部層が完成する。
【００２５】
次に下部層の製造手順について説明する。まず、一軸延伸ＰＥＴフィルム層６に遮光印刷層７を印刷する。次に、遮光印刷層７を印刷済みの一軸延伸ＰＥＴフィルム層６とＰＥフィルム層５とをドライラミネートで接着する。さらに、ドライラミネート済みのＰＥ層５及び一軸延伸ＰＥＴフィルム層６の遮光印刷層７の面に、シーラントフィルム層８をドライラミネートで接着することによって下部層が完成する。
【００２６】
このようにして製造した上部層と下部層との間にＰＥを流し込みながらラミネートして、上部層と下部層とを接着する。上部層と下部層との間に流し込んだＰＥがＰＥ層４を形成し、積層構造材料が完成する。
【００２７】
次に、上記積層構造材料に形成するハーフカットについて説明する。本発明において、蓋材を構成する積層構造材料に形成するハーフカットには、「表ハーフカット」及び「裏ハーフカット」の二種類が存在する。
図１に示すように、表ハーフカット１０は、最上層である無延伸フィルム層１からＰＥ層４の略中央にいたるハーフカットである。また、裏ハーフカット１１は、最下層であるシーラントフィルム層８から一軸延伸ＰＥＴフィルム層６の略中央にいたるハーフカットである。
【００２８】
上記積層構造材料に表ハーフカット１０を形成した場合には、一軸延伸ＰＥＴフィルム層６が、裏ハーフカット１１を形成した場合には、ＰＥＴ層３がそれぞれ無傷で残るため、どちらのハーフカットを形成しても蓋材のガスバリア性は損なわれない。また、二種類のハーフカットを形成しても、一軸延伸ＰＥＴフィルムは貫通しておらず、ガスバリア性は損なわれない。
【００２９】
以下、上記積層構造材料を用いた本発明の好適な実施の形態について説明する。
【００３０】
〔第１の実施形態〕
本発明を好適に実施した第１の実施形態について説明する。
図２に、本実施形態にかかるインスタント食品用容器の蓋材５０を示す。蓋材５０は、その周縁部が容器本体９０にヒートシールされている。蓋材５０の周縁部には、タブ５０ｑが設けられている。また、蓋材５０の周縁部でタブ５０ｑを挟む２箇所を連結するように、裏ハーフカット１１ａが形成されている。
【００３１】
裏ハーフカット１１ａを跨いで、弱接着領域５１が設けられている。弱接着領域５１は、ごく一部分のみが裏ハーフカット１１ａよりもタブ５０ｑ側に張り出しており、大部分はタブ５０ｑとは反対側に位置している。弱接着領域５１は、ＰＥＴ層３に剥離ニス３１をベタに配置した領域であり、ＰＥＴ層３とＰＥ層４との接着強度は、シーラントフィルム層８と容器本体９０との接合強度よりも低い。弱接着領域５１よりもタブ５０ｑに遠い側には、中接着領域５２が設けられている。中接着領域５２は、ＰＥＴ層３に剥離ニス３１を網点状に配置した領域であり、ＰＥＴ層３とＰＥ層４との接着強度は、弱接着領域５１よりも強いが、シーラントフィルム層８と容器本体９０との接合強度よりも低い。当然のことながら中接着領域５２でのＰＥＴ層３とＰＥ層４との接着強度は、剥離ニス３１が配置されていない領域（強接着領域）よりも弱い。中接着領域５２よりもタブ５０ｑに遠い側は、強接着領域となっている。強接着領域でのＰＥＴ層３とＰＥ層４との接着強度は、シーラントフィルム層８と容器本体９０との接合強度よりも高い。
本実施形態においては、中接着領域５１と強接着領域との境界となる線を開口停止線と定義する。なお、開口停止線は蓋材の重心点よりも開口方向側に存在することが好ましい。このようにすれば、図３に示すように、蓋材５０に開口を形成した際に、蓋材５０の自重によって開口状態が維持されやすくなる。
【００３２】
蓋材５０に開口を形成する際の動作について説明する。
タブ５０ｑを保持し、蓋材５０を容器本体から遠ざける方向に力を加えると、タブ５０ｑの周縁では蓋材５０が容器本体９０から剥離する。
【００３３】
蓋材５０は、裏ハーフカット１１ａよりもタブ５０ｑ側ではほぼ強接着領域であり、裏ハーフカット１１ａ近傍で弱接着領域５１となる。このため、裏ハーフカット１１ａが形成されている付近まで蓋材５０を剥がすと、ＰＥＴ層３とＰＥ層４との接合力は、シーラントフィルム層８と容器本体９０との接合強度よりも低下する。よって、裏ハーフカット１１ａよりもタブ５０ｑから遠い領域では、蓋材５０は、ＰＥＴ層３とＰＥ層４との間で、すなわち上部層のみが剥離する。
【００３４】
蓋材５０を弱接着領域５１と中接着領域５２との境界まで剥離させると、ＰＥＴ層３とＰＥ層４との接合力が弱接着領域５１よりも増大する。このため、上部層は、ＰＥＴ層３とＰＥ層４との間で剥離される際に、しごかれて引き延ばされ、図４に示すように厚みが減少する。換言すると、中接着領域で剥離させた上部層の厚みｔ２は、未剥離部分の上部層の厚みｔ１よりも小さくなる。これにより、上部層の剛性が低下し、デッドホールド性が向上する。なお、このしごきによる厚みの減少は、特に無延伸フィルム層１に影響が現れる。
【００３５】
蓋材５０を開口停止線まで剥離させると、ＰＥＴ層３とＰＥ層４との接合力が増大し、これらを引き離すことができなくなるため、蓋材５０の剥離はここで停止し、開口の形成が完了する。
【００３６】
開口形成後の蓋材５０の開口停止線の近傍の部分は、上部層が剥離されたことで、剥離前よりも厚みが小さくなったことに加えて、更に中接着領域５２を形成していた部分の上部層が引き延ばされて厚みが減少しているため、開口状態が維持される。
【００３７】
このように、本実施形態にかかるインスタント食品用容器は、アルミレスでデッドホールド性及び遮光性を備える。しかも、ハーフカットを形成してもガスバリア性が損なわれていない。
【００３８】
なお、蓋材５０を剥離させた後に下部層が露出する部分（弱接着領域５１及び中接着領域５２）は、デッドホールド性の効果が損なわれない程度にその面積を必要最小限に設計した方が美観の点からは好ましい。
【００３９】
〔第２の実施形態〕
本発明を好適に実施した第２の実施形態について説明する。図５に、本実施形態に係るインスタント食品用容器の蓋材５０の構造を示す。本実施形態にかかるインスタント食品用容器の蓋材５０は、第１の実施形態とほぼ同様の構造であるが、中接着領域５２が５２ａ及び５２ｂに分かれている。
中接着領域５２ａと中接着領域５２ｂとは、共に剥離ニス３１が網点状に配置された領域であるが、剥離ニス３１が配置された部分の占める面積の比率は中接着領域５２ａの方が大きい。例えば、中接着領域５２ａは、剥離ニス３１が配置された部分が面積の４０％を占め、中接着領域５２ｂは、剥離ニス３１が配置された部分が面積の２０％を占める。
【００４０】
蓋材５０に開口を形成する際の動作は、第１の実施形態と同様であるが、本実施形態においては、上部層と下部層とが剥離し始めた後は、弱接着領域５１→中接着領域５２ａ→中接着領域５２ｂ→強接着領域の順に剥離が進行してゆく。このため、弱接着領域５１と中接着領域５２ａとの境界及び中接着領域５２ｂと強接着領域との境界での剥離抵抗の変化は小さくなる。よって、開口形成時にユーザに違和感を与えることがない。
また、中接着領域は、剥離ニス３１の占有率が高いほど上部層が強くしごかれる。よって、図６に示すように、剥離ニス３１の占有率が低い中接着領域で剥離させた上部層の厚みｔ３は、剥離ニス３１の占有率が高い中接着領域で剥離させた上部層の厚みｔ２や未剥離部分の上部層の厚みｔ１よりも小さくなる。これにより、上部層の剛性が一層低下し、第１の実施形態の蓋材５０よりも、デッドホールド性が向上する。
【００４１】
〔第３の実施形態〕
本発明を好適に実施した第３の実施形態について説明する。図７に、本実施形態に係るインスタント食品用容器の蓋材５０の構造を示す。本実施形態にかかるインスタント食品用容器の蓋材５０は、第１の実施形態とほぼ同様の構造であるが、中接着領域５２と弱接着領域との境界が直線状とはなっておらす、互いに入り組んでいる。
【００４２】
弱接着領域５１と中接着領域５２とが入り組んだ領域Ａ（混在領域）は、タブ５０ｑに最も近い側では弱接着領域５１の割合が１００％であり、タブ５０ｑから最も遠い側では中接着領域５２の割合が１００％であり、この間ではそれぞれが占める割合が連続的に変化する。
【００４３】
すなわち、混在領域においては、蓋材５０を剥がしていく際に、剥離抵抗が連続的に変化する。よって、開口形成時にユーザに違和感を与えることがない。
また、中接着領域が占める割合が大きいほど上部層が強くしごかれる。よって、図８に示すように、中接着領域５２が占める割合が高い部分で剥離させた上部層の厚みｔ５は、中接着領域５２が占める割合の低い部分で剥離させた上部層の厚みｔ４や未剥離部分の上部層の厚みｔ１よりも小さくなる。これにより、上部層の剛性が連続的に低下し、第１の実施形態の蓋材５０よりも、デッドホールド性が向上する。
【００４４】
なお、弱接着領域５１と中接着領域５２とが入り組み、開口方向に向かって中接着領域５２の占める割合が連続的に増加するのであれば、弱接着領域５１と中接着領域５２との境界の形状は、図示した形状（ジグザグ状）に限定されることはない。例えば、弱接着領域５１と中接着領域５２との境界が湾曲線状で合っても良い。
【００４５】
〔第４の実施形態〕
本発明を好適に実施した第４の実施形態について説明する。図９に本実施形態にかかるインスタント食品用容器の蓋材５０の構造を示す。本実施形態にかかるインスタント食品用容器の蓋材５０は、第２の実施形態とほぼ同様の構造であるが、中接着領域５２ｂには表ハーフカット１０ａが形成されている。表ハーフカット１０ａは、蓋材５０の剥がし始め側を凸として弧状に形成されている。なお、表ハーフカット１０ａの弦側の領域（弧の内側の領域）は、剥離ニス３１が配置されていない強接着領域となっている。
【００４６】
蓋材５０に開口形成する際の動作については、第２の実施形態とほぼ同様であるが、本実施形態においては、表ハーフカット１０ａが形成されている部分では、上部層の剥離が表ハーフカット１０ａまで到達した段階で上部層の剥離が停止する。よって、図１０に示すように、中接着領域５２ｂと強接着領域との境界近傍では、剥離済みの蓋材５０を支持する上部層の面積は減少する。よって、上部層の剛性の影響が緩和され、更には中接着領域５２ｂと強接着領域との境界近傍の剥離済み上部層には、剥離済みの蓋材５０の自重がより強く作用し、デッドホールド性が向上する。
【００４７】
〔第５の実施形態〕
本発明を好適に実施した第４の実施形態について説明する。図１１に本実施形態にかかるインスタント食品用容器の蓋材５０の構造を示す。本実施形態にかかるインスタント食品用容器の蓋材５０は、第１の実施形態とほぼ同様の構造であるが、中接着領域５２に表ハーフカット１０ｂが、開口方向に凸として弧状に形成されている。なお、表ハーフカット１０ｂの弦側の領域（弧の内側の領域）は、剥離ニス３１がベタ塗りされた弱接着領域となっている。
【００４８】
図１２に示すように、本実施形態においては、上部層の剥離が表ハーフカット１０ｂまで到達した段階でハーフカット１０ｂを境にして上部層が分断され、ストッパ部５４が形成される。図１３に示すように、ストッパ部５４は、剥離済みの蓋材５０を支持するストッパとして作用するため、デッドホールド性が向上する。
なお、本実施形態の蓋材５０は、開口形成時に上部層から剥離させた下部層を土台として剥離済みの蓋材５０を支持する。このため、容器本体９０の開口周縁に蓋材を支持する領域が無くても（図示する構成のように、一面の全域に開口が設けられた容器本体９０であっても）、剥離済みの蓋材５０は支持可能である。
【００４９】
また、ストッパ部５４が形成されることにより、中接着領域５２と強接着領域との境界近傍では、剥離済みの蓋材５０を支持する上部層の面積は減少する。よって、上部層の剛性の影響がより緩和され、更には中接着領域５２と強接着領域との境界近傍の剥離済み上部層には、剥離済みの蓋材５０の自重がより強く作用し、デッドホールド性が向上する。
【００５０】
上記各実施形態にかかるインスタント食品用容器は、インスタントのラーメン、そば、うどん、スープ用の容器のほか、図１４に示すように、蓋材５０の剥がし始めの位置と反対側に湯切り穴１０ｄを形成し、インスタントの焼きそば用の容器としても使用可能である。
【００５１】
なお、上記各実施形態は、本発明の好適な実施の一例であり、本発明はこれらに限定されることはない。
例えば、上記各実施形態においては、裏ハーフカットは蓋材の周縁部の２箇所を直線で結ぶように形成されていたが、曲線状であっても構わない。
また、上記各実施形態においては、円形の開口を塞ぐ形状の蓋材を例示したが、容器本体の開口の形状は矩形や楕円形などであっても良い。
また、図１５に示すように、表ハーフカット１０ａと表ハーフカット１０ｂとを兼ね備えた構成とすることも可能である。
さらに、本発明における無延伸フィルム層は、必ずしも完全な無延伸フィルムに限定されることはなく、若干延伸されているフィルムを用いたものも含む。
このように本発明は様々な変形が可能である。
【図面の簡単な説明】
【００５２】
【図１】本発明にかかるインスタント食品用容器の蓋材に用いる積層構造材料の構成を示す図である。
【図２】本発明を好適に実施した第１の実施形態にかかるインスタント食品用容器の蓋材の構成を示す図である。
【図３】蓋材の自重により開口状態が維持された状態を示す図である。
【図４】上部層がしごかれて厚みが減少した状態を示す図である。
【図５】本発明を好適に実施した第２の実施形態にかかるインスタント食品用容器の蓋材の構成を示す図である。
【図６】上部層がしごかれて厚みが減少した状態を示す図である。
【図７】本発明を好適に実施した第３の実施形態にかかるインスタント食品用容器の蓋材の構成を示す図である。
【図８】開口の開口の進展の度合と剥離抵抗との関係を示す図である。
【図９】本発明を好適に実施した第４の実施形態にかかるインスタント食品用容器の蓋材の構成を示す図である。
【図１０】剥離済みの蓋材を支持する上部層の面積が表ハーフカットによって減少した状態を示す図である。
【図１１】本発明を好適に実施した第５の実施形態にかかるインスタント食品用容器の蓋材の構成を示す図である。
【図１２】蓋材を剥離することによりストッパ部か形成された状態を示す図である。
【図１３】剥離済みの蓋材がストッパ部によって支持される状態を示す図である。
【図１４】湯切り穴を備えた蓋材の構成を示す図である。
【図１５】剥離済みの蓋材を支持する上部層の面積が減少し、ストッパ部が形成される蓋材の構成を示す図である。
【符号の説明】
【００５３】
１    無延伸フィルム層
２    コート紙
３    ＰＥＴ層
４    ＰＥ層
５    ＰＥフィルム層
６    一軸延伸ＰＥＴフィルム層
７    遮光印刷層
８    シーラントフィルム
１０、１０ａ、１０ｂ    表ハーフカット
１１、１１ａ    裏ハーフカット
１０ｄ    湯切り穴
５０    蓋材
５１    弱接着領域
５２    中接着領域
５４    ストッパ部
５０ｑ    タブ
９０    容器本体
【図１】
2006137490.tif 000003
【図２】
2006137490.tif 000004
【図３】
2006137490.tif 000005
【図４】
2006137490.tif 000006
【図５】
2006137490.tif 000007
【図６】
2006137490.tif 000008
【図７】
2006137490.tif 000009
【図８】
2006137490.tif 000010
【図９】
2006137490.tif 000011
【図１０】
2006137490.tif 000012
【図１１】
2006137490.tif 000013
【図１２】
2006137490.tif 000014
【図１３】
2006137490.tif 000015
【図１４】
2006137490.tif 000016
【図１５】
2006137490.tif 000017